(57)【要約】【課題】部品点数を減らしコストを下げることができるモータを提供する。【解決手段】固定子鉄心１４とフレーム２０とフィン２２と取付け脚２４とを磁性材料よりなる焼結体により構成する焼結体２８で一体形成する。【選択図】      図１
2004254418.tif 000002
【特許請求の範囲】
【請求項１】
回転子を固定子の内周側へ内蔵するインナーロータ型のモータにおいて、
リング状の継鉄部とこの継鉄部の内周から突出した複数の歯部から構成される固定子鉄心と、この固定子鉄心の外周に配されるフレームとを、磁性材料よりなる焼結粉を焼結した焼結体によって一体形成することを特徴とするモータ。
【請求項２】
前記フレームの外周から突出する取付け脚も、前記焼結体と一体形成することを特徴とする請求項１記載のモータ。
【請求項３】
前記フレームの外周から突出する複数のフィンも、前記焼結体と一体形成することを特徴とする請求項１記載のモータ。
【請求項４】
前記フレームの少なくとも一方の外周端部に沿って、ブラケットが係合する凹部を前記焼結体と一体形成することを特徴とする請求項１記載のモータ。
【請求項５】
前記焼結体で形成された固定子鉄心の歯部の表面に絶縁層を少なくとも設けて、この歯部に固定子コイルを巻回することを特徴とする請求項１記載のモータ。
【発明の詳細な説明】
【０００１】
【発明の属する技術分野】
本発明は、モータに関するものである。
【０００２】
【従来の技術】
従来、モータの固定子鉄心は、鋼板を積層して形成する以外に、磁性材料よりなる焼結体で構成した固定子鉄心がある。
【０００３】
また、固定子鉄心の外周部にあるリング状の継鉄部だけ焼結体で構成し、継鉄部から内周に突出する複数の歯部を鋼板を積層した積層体で構成したものがある（特許文献１）。
【０００４】
【特許文献１】
特開平８−２３７８９１号公報
【０００５】
【発明が解決しようとする課題】
上記のような固定子鉄心を焼結体で構成したり、継鉄部のみを焼結体で構成するものであると、この焼結体以外の部品が必要となるので部品点数が多くなり、モータのコストが上がるという問題点がある。
【０００６】
そこで、本発明は上記問題点に鑑み焼結体で構成されるモータにおいて、部品点数を減らしコストを下げることができるモータを提供するものである。
【０００７】
【課題を解決するための手段】
請求項１の発明は、回転子を固定子の内周側へ内蔵するインナーロータ型のモータにおいて、リング状の継鉄部とこの継鉄部の内周から突出した複数の歯部から構成される固定子鉄心と、この固定子鉄心の外周に配されるフレームとを、磁性材料よりなる焼結粉を焼結した焼結体によって一体形成することを特徴とするモータである。
【０００８】
請求項２の発明は、前記フレームの外周から突出する取付け脚も、前記焼結体と一体形成することを特徴とする請求項１記載のモータである。
【０００９】
請求項３の発明は、前記フレームの外周から突出する複数のフィンも、前記焼結体と一体形成することを特徴とする請求項１記載のモータである。
【００１０】
請求項４の発明は、前記フレームの少なくとも一方の外周端部に沿って、ブラケットが係合する凹部を前記焼結体と一体形成することを特徴とする請求項１記載のモータである。
【００１１】
請求項５の発明は、前記焼結体で形成された固定子鉄心の歯部の表面に絶縁層を少なくとも設けて、この歯部に固定子コイルを巻回することを特徴とする請求項１記載のモータである。
【００１２】
【作  用】
請求項１の発明であると、固定子鉄心とフレームとを焼結体によって一体形成するので、フレームの部品が不要である。
【００１３】
請求項２の発明であると、フレームの外周から突出する取付け脚も焼結体と一体形成するため、取付け脚の部品が不要である。
【００１４】
請求項３の発明であると、フレームの外周から突出する複数のフィンを焼結体と一体形成するため、熱伝導が良く、確実に放熱できる。
【００１５】
請求項４の発明であると、ブラケットが係合する凹部を焼結体の部分に一体形成するため、ブラケットの係合を確実、かつ、簡単に行うことができる。
【００１６】
請求項５の発明であると、固定子鉄心の歯部の表面に絶縁層を設けることにより、固定子コイルを巻回することができる。
【００１７】
【発明の実施の形態】
以下、本発明の一実施例のモータ１０を図１と図２に基づいて説明する。
【００１８】
本実施例のモータ１０は、インナーロータ型のブラシレスＤＣモータであり、図１は、モータ１０の固定子１２の平面図であり、図２は図１におけるＡ−Ａ線断面図である。
【００１９】
モータ１０の固定子１２における固定子鉄心１４は、リング状の継鉄部１４と、この継鉄部１６の内周から突出した６個のＴ字状の歯部１８とより構成されている。
【００２０】
固定子鉄心１４の外周、すなわち、リング状の継鉄部１６の外周には、筒状のフレーム２０が一体に形成されている。このフレーム２０の外周には、複数のフィン２２が放射状に突出している（図１参照）。なお、板状のフィン２２はフレーム２０における外周の回転軸方向に沿って突出している（図２参照）。また、フレーム２０の外周における相対抗する位置には、取付け脚２４がそれぞれ突出している（図１参照）。取付け脚２４には、ボルトを固定するためのボルト孔２６が、取付け脚２４の端部から連続した長孔に沿って開口している。
【００２１】
上記構成の固定子鉄心１４とフレーム２０とフィン２２と取付け脚２４とは、磁性材料よりなる焼結粉を焼結させた焼結体により一体形成されている。
【００２２】
また、図２に示すように、フレーム２０の外周部の両端部には、皿状の金属性ブラケット３０が係合する段部３２がそれぞれ形成されている。この段部３２も焼結時に形成するものである。なお、ブラケット３０、３０は、図２において回転子３６を回転自在に支持するベアリング２８、２８を固定するものである。
【００２３】
上記のように構成した焼結体よりなる固定子鉄心１４の歯部１８に、合成樹脂等の樹脂によって絶縁層を形成する。そして、この形成した絶縁層の上に固定子コイル３４を、図１及び図２に示すように巻回して固定子１２を構成する。
【００２４】
上記構成のモータ１０であると、固定子鉄心１４、フレーム２０、フィン２２、取付け脚２４が焼結体２８により一体に形成されるため、これらを構成するための部品が不要となり、部品点数が削減されてコストを削減できる。
【００２５】
固定子鉄心１４を焼結体により一体に形成するために、高周波鉄損を削減することができる。
【００２６】
フィン２２がフレーム２０と一体に形成されているため、放熱をより促進させることができる。
【００２７】
焼結体２８によって構成するため、寸法精度が向上し、振動等を抑えることができ静音化をより図ることができる。
【００２８】
（変更例１）
上記実施例では、取付け脚２４の構成として、長孔から連続してボルト孔２６を設けたが、図３に示すように取付け脚２４に２つのボルト孔２６，２６を貫通させてもよい。
【００２９】
（変更例２）
上記実施例では、ブラシレスＤＣモータにおいて説明したが、本発明はフレームと固定子鉄心を有するインナーロータ型のモータであればどのようなモータであっても適用することができ、例えば、誘導電動機等にも適用できる。
【００３０】
【発明の効果】
以上により本発明のモータであると、フレームと固定子鉄心を焼結体により一体形成するため部品の削減を行うことができ、また、寸法精度が向上することにより静音化を図ることができる。
【図面の簡単な説明】
【図１】本発明の一実施例を示すモータの固定子の平面図である。
【図２】図１におけるＡ−Ａ線断面図である。
【図３】取付け脚の変更例を示す平面図である。
【符号の説明】
１０  モータ
１２  固定子
１４  固定子鉄心
１６  継鉄部
１８  歯部
２０  フレーム
２２  フィン
２４  取付け脚
２６  ボルト孔
２８  焼結体
３０  ブラケット
３２  段部
３４  固定子コイル
【図１】
2004254418.tif 000003
【図２】
2004254418.tif 000004
【図３】
2004254418.tif 000005